(57)【要約】【課題】換気ユニットを住宅に設置する際の柱、梁、間取り等の制約を受けずに、ダクトの急激な曲がりや、つぶれを回避し、さらに、ダクト接続や引き回しを容易にできる換気ユニットを提供することを目的としている。【解決手段】送風部１の側面には複数のダクトを接続したチャンバー部５が接続され、複数の側面にはチャンバー部５と連通する開口部８を有し、一つの開口部８にはチャンバー部５を接続し、他の開口部８は封止し、吹出口９を開口部８に対応させて設置することにより、チャンバー部５とダクトが接続しやすい位置に設けることができるという作用を有する。【選択図】図１
2007003086.tif 000002
【特許請求の範囲】
【請求項１】
送風部には給気用ファンケーシングと排気用ファンケーシングを備え、前記送風部の側面には熱交換器部を備え、また、前記送風部の他の側面にはチャンバー部が接続され、前記チャンバー部に複数のダクトを接続し、前記送風部の複数の側面には、前記チャンバー部と連通する開口部を有し、一つの前記開口部には前記チャンバー部を接続し、他の前記開口部は封止し、前記給気用ファンケーシングの吹出口を前記開口部に対応させて設置することを特徴する換気ユニット。
【請求項２】
給気用ファンケーシングの吹出口の先端を三角形状のつめにしたことを特徴とする請求項１記載の換気ユニット。
【請求項３】
給気用ファンケーシングの吹出口を複数設け、それぞれの前記吹出口を開口部に対応させたことを特徴とする請求項１または２記載の換気ユニット。
【請求項４】
開口部を封止するためのダンパーを設け、ダンパーの動作位置を変更することを特徴とする請求項１〜３のいずれか記載の換気ユニット。
【請求項５】
ダンパーをモーターにて駆動し、前記ダンパーの動作位置を変更することを特徴とする請求項４記載の換気ユニット。
【請求項６】
第一部材を設け、前記第一部材にて給気用ファンケーシングの吹出口数を変更することを特徴とする請求項１〜３のいずれか記載の換気ユニット。
【請求項７】
第二部材を設け、前記第二部材にて給気用ファンケーシングの吹出口数の変更することを特徴とする請求項１〜３のいずれか記載の換気ユニット。
【請求項８】
ダンパーに、チャンバー部に設けた支持棒を設け、前記ダンパーの動作位置を変更することを特徴とする請求項４記載の換気ユニット。
【請求項９】
チャンバー部に設けた支持棒だけで風向を変更することを特徴とする請求項１〜３のいずれか記載の換気ユニット。
【発明の詳細な説明】
【技術分野】
【０００１】
本発明は、ダクトを用いて家全体に均一に新鮮空気を導入し、汚れた空気を屋外に排出しながら換気を行う、換気ユニットに関する。
【背景技術】
【０００２】
従来、この種の換気ユニットでは、換気ユニットの複数ダクト接続口の給気吹出口に、各居室にダクトを用いて新鮮空気を供給し、室内の汚れた空気は廊下等より吸いこんで、換気ユニットを介して熱交換され屋外に排出されている換気ユニットが知られている（例えば、特許文献１、特許文献２参照）。
【特許文献１】特開２００２−３７２２７６号公報（第２図）
【特許文献２】特開２００５−３３４５号公報（第２図）
【発明の開示】
【発明が解決しようとする課題】
【０００３】
このような従来の換気ユニットは、住宅の造り、間取りによって換気ユニットの設置場所に制約を受け、換気ユニット吹出口前方に柱、梁、または、吹出口方向と反対側にダクトを引き回す場合など、ダクトを急激に曲げたり、ダクトつぶれによって、ダクト圧力損失が増加してしまい、各居室への必要風量が得られないという課題があった。
【０００４】
本発明は、このような従来の課題を解決するものであり、換気ユニットを住宅に設置する際の柱、梁、間取り等の制約を受けずに、換気ユニットのチャンバー部取り付け位置を移動させるだけで、ダクトの急激な曲がりや、つぶれを回避し、さらに、ダクト接続や引き回しを容易にできる換気ユニットを提供することを目的としている。
【課題を解決するための手段】
【０００５】
本発明の換気ユニットは上記目的を達成するために、送風部には給気用ファンケーシングと排気用ファンケーシングを備え、前記送風部の側面には熱交換器部を備え、また、前記送風部の他の側面にはチャンバー部が接続され、前記チャンバー部に複数のダクトを接続し、前記送風部の複数の側面には、前記チャンバー部と連通する開口部を有し、一つの前記開口部には前記チャンバー部を接続し、他の前記開口部は封止し、前記給気用ファンケーシングの吹出口を前記開口部に対応させて設置するものである。
【０００６】
この手段により、チャンバー部の移動と、送風部の複数の面に設けた開口部に、給気用ファンケーシングの開口部を移動させるだけで、前記チャンバー部とダクトが接続しやすい位置に設けることができ、また、前記チャンバー部のダクト接続口正面に柱、梁がある場合は、前記チャンバー部の位置を変え前記ダクトの接続が容易にでき、無理な施工におけるダクトのつぶれ、急激な曲がりを避けることができ、前記ダクトを換気ユニット本体から上方向に立ち上げる場合などにも、前記ダクトの曲がり数を少なくできるため、前記ダクト圧力損失における風量低下を低減できる換気ユニットが得られる。
【０００７】
また、給気用ファンケーシングの吹出口の先端を三角形状のつめにしたものである。
【０００８】
この手段により、給気用ファンケーシングを開口部に移動して簡単に固定することができる換気ユニットが得られる。
【０００９】
また、給気用ファンケーシングの吹出口を複数設け、それぞれの前記吹出口を開口部に対応させたものである。
【００１０】
この手段により、給気用ファンケーシングの吹出口が複数あるため、チャンバー部取り付け位置を容易に選択でき、現場設置時のダクト引き回しに応じて選択できる換気ユニットが得られる。
【００１１】
また、開口部を封止するためのダンパーを設け、ダンパーの動作位置を変更するものである。
【００１２】
この手段により、チャンバー部を取り付けていない開口部への風の流れをとめ、チャンバー部へスムーズに風を流入することができる換気ユニットが得られる。
【００１３】
また、ダンパーをモーターにて駆動し、前記ダンパーの動作位置を変更するものである。
【００１４】
この手段により、モータでダンパーの動作位置を変更することで、人間のポカミスでダンパーの半開き等がなくなり、チャンバー部を取り付けていない開口部への風の流れを確実に止め、チャンバー部に風を流入することができる換気ユニットが得られる。
【００１５】
また、第一部材を設け、前記第一部材にて給気用ファンケーシングの吹出口数を変更するものである。
【００１６】
この手段により、吹出向きを変えたり、第一部材を加工することで複数の方向ならびに吹出口数の変更ができる換気ユニットが得られる。
【００１７】
また、第二部材を設け、前記第二部材にて給気用ファンケーシングの吹出口数の変更するものである。
【００１８】
この手段により、吹出向きを変えたり、第二部材を加工することで複数の吹出口に風量を振り分けることができる換気ユニットが得られる。
【００１９】
また、ダンパーに、チャンバー部に設けた支持棒を設け、前記ダンパーの動作位置を変更するものである。
【００２０】
この手段により、チャンバー部に設けた支持棒によってダンパーの位置を変更し、チャンバー側に風を流すことのできる換気ユニットが得られる。
【００２１】
また、チャンバー部に設けた支持棒だけで風向を変更するものである。
【００２２】
この手段により、チャンバー部に設けた支持棒によって、チャンバー側に風を流すことのできる換気ユニットが得られる。
【発明の効果】
【００２３】
本発明によれば、住宅構造の制約を受けずに換気ユニットを設置できるため、ダクト引き回しの選択が増え、さらに施工性の向上となるため、各居室への必要風量が得られる換気ユニットを提供できる。
【発明を実施するための最良の形態】
【００２４】
本発明の請求項１記載の換気ユニットは、送風部には給気用ファンケーシングと排気用ファンケーシングを備え、前記送風部の側面には熱交換器部を備え、また、前記送風部の他の側面にはチャンバー部が接続され、前記チャンバー部に複数のダクトを接続し、前記送風部の複数の側面には、前記チャンバー部と連通する開口部を有し、一つの前記開口部には前記チャンバー部を接続し、他の前記開口部は封止し、前記給気用ファンケーシングの吹出口を前記開口部に対応させて設置するものであり、チャンバー部の移動と、送風部の複数の面に設けた開口部に、給気用ファンケーシングの開口部を移動させるだけで、前記チャンバー部とダクトが接続しやすい位置に設けることができ、また、前記チャンバー部のダクト接続口正面に柱、梁がある場合は、前記チャンバー部の位置を変え前記ダクトの接続が容易にでき、無理な施工におけるダクトのつぶれ、急激な曲がりを避けることができ、前記ダクトを換気ユニット本体から上方向に立ち上げる場合などにも、前記ダクトの曲がり数を少なくできるため、前記ダクト圧力損失における風量低下を低減できるという作用を有する。
【００２５】
また、請求項２記載の換気ユニットは、給気用ファンケーシングの吹出口の先端を三角形状のつめにしたものであり、給気用ファンケーシングを開口部に移動して簡単に固定することができるという作用を有する。
【００２６】
また、請求項３記載の換気ユニットは、給気用ファンケーシングの吹出口を複数設け、それぞれの前記吹出口を開口部に対応させたものであり、給気用ファンケーシングの吹出口が複数あるため、チャンバー部取り付け位置を容易に選択でき、現場設置時のダクト引き回しに応じて選択できるという作用を有する。
【００２７】
また、請求項４記載の換気ユニットは、開口部を封止するためのダンパーを設け、ダンパーの動作位置を変更するものであり、チャンバー部を取り付けていない開口部への風の流れをとめ、チャンバー部へスムーズに風を流入することができるという作用を有する。
【００２８】
また、請求項５記載の換気ユニットは、ダンパーをモーターにて駆動し、前記ダンパーの動作位置を変更するものであり、モータでダンパーの動作位置を変更することで、人間のポカミスでダンパーの半開き等がなくなり、チャンバー部を取り付けていない開口部への風の流れを確実に止め、チャンバー部に風を流入することができるという作用を有する。
【００２９】
また、請求項６記載の換気ユニットは、第一部材を設け、前記第一部材にて給気用ファンケーシングの吹出口数を変更するものであり、吹出向きを変えたり、第一部材を加工することで複数の方向ならびに吹出口数の変更ができるという作用を有する。
【００３０】
また、請求項７記載の換気ユニットは、第二部材を設け、前記第二部材にて給気用ファンケーシングの吹出口数の変更するものであり、吹出向きを変えたり、第二部材を加工することで複数の吹出口に風量を振り分けることができるという作用を有する。
【００３１】
また、請求項８記載の換気ユニットは、ダンパーに、チャンバー部に設けた支持棒を設け、前記ダンパーの動作位置を変更するものであり、チャンバー部に設けた支持棒によってダンパーの位置を変更し、チャンバー側に風を流すことのできるという作用を有する。
【００３２】
また、請求項９記載の換気ユニットは、チャンバー部に設けた支持棒だけで風向を変更するものであり、チャンバー部に設けた支持棒によって、チャンバー側に風を流すことのできるという作用を有する。
【００３３】
以下、本発明の実施の形態について図面を参照しながら説明する。
【００３４】
（実施の形態１）
図１および図２に示すように、本発明の換気ユニットは、送風部１には給気用ファンケーシング２と、排気用ファンケーシング３を備え、送風部１の側面には熱交換器部４を備え、また、送風部１の他の側面に接続されているチャンバー部５とを備え、チャンバー部５は複数のダクトを接続する構成の換気ユニット７であって、送風部１の複数の側面には、チャンバー部５と連通する開口部８を有し、一つの開口部８にはチャンバー部５を接続し、他の開口部８は封止し、給気用ファンケーシング２の吹出口９をチャンバー部５に接続した開口部８に対応させて設置する。チャンバー部５に設けたダクト接続部６は各居室とつながれており、給気グリル（図示せず）が接続されている。
【００３５】
また、換気ユニット７の下面には、吸込パネル１０を設け、室内に露出し、室内の汚れた空気を吸い込む。吸込パネル１０の上部には、熱交換器部４を設けられ、熱交換器部４内部には熱交換器素子１１を設けている。熱交換器部４の側面には排気口１２と外気口１３を設け、排気口１２と外気口１３にはそれぞれ、屋外の壁に取り付けてあるパイプフード（図示せず）とダクトにて接続されている。
【００３６】
排気口１２は室内の汚れた空気を屋外へ排気する経路であり、外気口１３は、換気ユニット７内に外気の新鮮空気を導入する経路である。
【００３７】
換気ユニット７内には、排気経路と給気通路とが設けられている。排気経路は、吸込パネル１０と、熱交換器素子１１と、排気用ファン１４と、排気口１２とを連通するよう区画形成される。給気経路は、外気口１３と、熱交換器素子１１と、給気用ファン１５と、チャンバー部５とを連通するよう区画形成される。
【００３８】
熱交換器素子１１は、排気経路と給気経路とが交差する位置に設ている。換気ユニット７が運転すると、モータ１６が駆動し排気用ファン１４が回転することで、室内の汚れた空気が吸込パネル１０から換気ユニット７に吸引され、排気経路に沿って、汚れた室内の空気は熱交換器素子１１、排気口１２を通して室外へ排気される。
【００３９】
同時に、給気ファン１５が回転し、外気の新鮮空気が外気口１３から換気ユニット７に導かれ、給気通路に沿って、熱交換器素子１１を通過し送風部１に導かれ、送風部１の給気ファン１５、給気用ファンケーシング２からチャンバー部５を経てダクト接続部６からダクトを通して各居室に新鮮空気か導入される。
【００４０】
したがって、外気と室内空気は熱交換器素子１１で熱交換し、熱交換したあとの外気の新鮮空気の外気は室内に給気され、熱交換したあとの汚れた室内空気は屋外へ排気される。
【００４１】
つぎに、本発明の動作について説明すると、送風部１の複数の側面には、チャンバー部５と連通する開口部８を有しており、一つの開口部８にはチャンバー部５を接続し、他の開口部８は封止しする。また、給気用ファンケーシング２の吹出口９は、チャンバー部５に接続した開口部８に対応させて設置できるように、取り付けや取り外しにより、給気用ファンケーシング２の吹出口９を移動できる。給気用ファンケーシング２の吹出口９先端は三角形状のつめ１７になっており、開口部８につめ１７を引っ掛けて止めてある。移動させる場合は、送風部１の側面で封止している開口部８の板金１８を外す。この板金１８は、ねじ１９で止めているため容易に外せる。つぎに、給気用ファンケーシング２の吹出口９先端は三角形状のつめ１７を押さえて外し、給気用ファンケーシング２を一旦外し、板金１８の面に取り付ける。送風部１の下面は板金をねじ１９でとめている構造のため底板を外せ、天井が張られていない設置時に容易に作業ができる。
【００４２】
上記構成において、チャンバー部５の位置を送風部１に設けた複数の開口部８に給気用ファンケーシング２を移動させることによって、ダクトの取り付け位置を変え、ダクトの曲げが少なく、ダクトが短くなりダクト圧力損失が少なくなるため、居室への必要給気風量が得られる。また、ダクト引き回し設計図面と現場の施工が異なった場合でも、現場で変更できるため、容易に施工ができ、居室への必要給気風量が得られる。製品の機種としても、一方向吹出機種のパターン展開する必要もなく、数機種を１機種に機種統合できる。
【００４３】
（実施の形態２）
図３を参照しながら説明する。なお、実施の形態１と同一部分には同一符号を付けて詳細な説明は省略する。
【００４４】
給気用ファンケーシング２の吹出口９を複数設け、それぞれの吹出口９を開口部８に対応させたものである。また、使用しない開口部８は、板金１８で封止している。
【００４５】
上記構成において、換気ユニットのチャンバー部５のダクト接続部６前方に壁、柱等の障害物がある場合は、給気用ファンケーシング２の複数の吹出口９を選択し、チャンバー部５と板金８のみ移動することによって、障害物を避けられ、ダクト引き回し方向変更が可能となる。
【００４６】
また、ダクト引き回し設計図面と現場の施工が異なった場合でも、現場にて換気ユニットの設置位置を変更しなくても、換気ユニットの給気用ファンケーシング２方向の構成を変えるだけで、容易に施工ができる。
【００４７】
（実施の形態３）
図４および図５を参照しながら説明する。なお、実施の形態１または実施の形態２と同一部分には同一符号を付けて詳細な説明は省略する。
【００４８】
開口部８を封止するためのダンパー２５を設けてある。このダンパー２５は手動ダンパー２０であって、手動ダンパー２０の軸は棒状の物で換気ユニット７側板まで出しており、その先端には取っ手２１を設け、水平２２、垂直２３に可動する。
【００４９】
手動ダンパー２０は、給気用ファンケーシング２が分岐２４する部分に設けてある。ダンパー２５は水平２２、垂直２３に可動できる。ダンパー２５を水平２２にした時は、給気ファン１５の吹出しは水平２２方向に風が流れる。また、ダンパー２５を垂直２３にした時は、給気ファン１５の吹出しは水平２２方向には風は流れない。
【００５０】
換気ユニット７のチャンバー部５のダクト接続部６前方に壁、柱等の障害物がある場合は、給気用ファンケーシング２の複数の吹出口９を選択し、チャンバー部５を移動し、手動ダンパー２０を水平２２、垂直２３にすることによって、吹出方向を切り替えが容易にできる。
【００５１】
また、ダクト引き回し設計図面と現場の施工が異なった場合でも、現場にて換気ユニット７の設置位置を変更しなくても、換気ユニットの構成を変えるだけで、容易に施工ができる。
【００５２】
（実施の形態４）
図６および図７を参照しながら説明する。なお、実施の形態１，２または３と同一部分には同一符号を付けて詳細な説明は省略する。
【００５３】
ダンパー２５を、モーター２７にて駆動し、ダンパー２５の動作位置を変更するようにしたものである。
【００５４】
分岐点２４に、電動ダンパー２６を設けてある。この電動ダンパー２６は、モーター２７とダンパー２５で構成され、モーター２７の軸に取り付けてあるダンパー２５にて、水平２２、垂直２３と可動する。また、モーター２７の動きは、換気ユニット７との側板に設けてあるスイッチ２８にて動作し、モーター２７とスイッチ２８は電線２９にてつながっている。このスイッチ２８には、水平吹出、垂直吹出とスイッチ２８の左右に記載しており、このスイッチ２８にて吹出方向を決定する。
【００５５】
上記構成において、換気ユニット７のチャンバー部５のダクト接続部６前方に壁、柱等の障害物がある場合は、給気用ファンケーシング２の複数の吹出口９を選択し、チャンバー部５を移動し、例えば、垂直吹出したい場合は、スイッチ２８にて垂直吹出を押せば、モーター２７が駆動し、ダンパー２５が動作し、ダンパ−２５が垂直方向になる。また、水平吹出したい場合は、スイッチ２８にて水平吹出を押せば、モーターが駆動し、ダンパー２５が動作し、ダンパ−２５が水平方向になる。スイッチを切り替えることで吹出方向を容易に切り替えが容易にできる。
【００５６】
また、ダクト引き回し設計図面と現場の施工が異なった場合でも、現場にて換気ユニットの設置位置を変更しなくても、換気ユニットの構成を変えるだけで、容易に施工ができる。
【００５７】
（実施の形態５）
図８および図９を参照しながら説明する。なお、実施の形態１，２または３と同一部分には同一符号を付けて詳細な説明は省略する。
【００５８】
第一部材３０を設け、第一部材３０にて給気用ファンケーシング２の吹出口９数と吹出方向を変更するようにする。
【００５９】
この第一部材３０は、給気用ファンケーシング２の吹出口９から、手で容易に給気用ファンケーシング９の分岐点２４に取り付けたり、取り外したりが可能である。
【００６０】
この第一部材３０は発泡スチロールでできており、中がくり抜き湾曲状で、給気ファン１５で送られた風が送風部１の垂直２３方向に流れる形状になっている。さらに、水平２２方向に円形で切り込み３１が入っており、カッター等で切り込みを入れれば筒状に抜ける構造になっている。
【００６１】
上記構成において、第一部材３０を取り付けていれば、給気ファン１５で送られた風は、給気用ファンケーシング２から第一部材３０を通過し、送風部１に設けた複数の開口部８の決められた経路に風を流すことができる。また、水平方向に円形で切り込み３１を抜けば、給気用ファン１５で送られた風は、給気用ファンケーシング２から第一部材３０を通過し、第一部材３０にて、送風部１に設けた複数の開口部８へ風が分配できるようになっている。
【００６２】
よって、吹出方向と風量分配したい場合は第一部材３０を加工すれば可能となる。
【００６３】
（実施の形態６）
図１０および図１１を参照しながら説明する。なお、実施の形態と同一部分には同一符号を付けて詳細な説明は省略する。
【００６４】
第二部材３２を設け、第二部材３２にて給気用ファンケーシング２の吹出口９数の変更する。
【００６５】
給気用ファンケーシング２に第二部材３２を差し込む構成となっているが、この第二部材３２は発泡スチロールでできており、稜Ａ３３から稜Ｂ３４は湾曲形状になっており、さらに、面Ａ３５から面Ｂ３６までφ５０の穴が貫通している。面Ｂ３６にはダクト接続口６が設けられ、φ５０のダクトが取り付けられるようになっている。
【００６６】
上記構成において、第二部材３２を用いて、トイレ等の換気必要風量が少量のところへは、面Ｂ３６のダクト接続口６を用いて、さらに、居室には、送風部１の複数の側面に設けたチャンバー部５から各居室にダクトを用いて風を分配する。よって、決められた場所への必要風量があらかじめ解っていれば、垂直方向、水平方向に引き回し、ダクトの曲がり、長さを押さえられることができ、現場にて自由なダクト施工ができる。
【００６７】
（実施の形態７）
図１２および図１３を参照しながら説明する。なお、実施の形態４と同一部分には同一符号を付けて詳細な説明は省略する。
【００６８】
ダンパー２５に、チャンバー部５に設けた支持棒３７を設け、ダンパー２５の動作位置を変更する。
【００６９】
このチャンバー部５には、支持棒３７を設けてある。また、送風部１のなかにある給気用ファンケーシング２の分岐２４に可動自由なダンパー２５を設けてある。また、このチャンバー部５は、送風部１に接触する面Ｃ３８や面Ｄ３９に差し込むことができる。
【００７０】
上記構成において、チャンバー部５を給気用ファンケーシング２に面Ｃ３８に沿って差し込むと、支持棒３７が給気用ファンケーシング２の分岐２４に設けたダンパー２５を水平２２押し、チャンバー部５を差し込んだ面Ｃ３８に風が流れていくことになる。また、面Ｄ３９に沿って差し込むと、支持棒３７が給気用ファンケーシング２の分岐２４に設けたダンパー２５を垂直押し、チャンバー部５を差し込んだ面Ｄ３９方向に風が流れていくことによる。
【００７１】
よって、チャンバー部５を差し込むだけで、風の方向を垂直２３、水平２２に変えられ、ダクト引き回し方向を容易に変えられる。
【００７２】
（実施の形態８）
図１４を参照しながら説明する。なお、実施の形態１，２または３と同一部分には同一符号を付けて詳細な説明は省略する。
【００７３】
チャンバー部５に設けた支持棒３７だけで風向を変更する。このチャンバー部５は実施の形態７の支持棒３７を延長させた物である。チャンバー部５には、チャンバー部５を給気用ファンケーシング２に面Ｃ３８に沿って差し込むと、支持棒３７が給気用ファンケーシング２の分岐２４での垂直方向に設けた開口部８を覆い塞ぐ大きさ、長さになっており、面Ｃ３８に風が流れてくる。また、面Ｄ３９に沿って差し込むと、支持棒３７が給気用ファンケーシング２の分岐２４での水平方向に設けた開口部８を覆い塞ぐ大きさ、長さになっており、面Ｃ３８に風が流れてくる。
【００７４】
上記構成において、チャンバー部５を差し込むだけで、風の方向を垂直２３、水平２２に変えられ、ダクト引き回し方向を容易に変えられる。
【産業上の利用可能性】
【００７５】
本発明にかかる換気ユニットは、換気ユニットを住宅に設置する際の柱、梁、間取り等の制約を受けずに、換気ユニットのチャンバー部取り付け位置を移動させるだけで、ダクトの急激な曲がりや、つぶれを回避し、さらに、ダクト接続や引き回しを容易にできることを奏し、ダクトを用いて家全体に均一に新鮮空気を導入し、汚れた空気を屋外に排出しながら換気を行う、換気ユニット等として有用である。
【図面の簡単な説明】
【００７６】
【図１】本発明の実施の形態１の換気ユニットの構成図
【図２】同換気ユニットの構成図
【図３】本発明の実施の形態２の換気ユニットの送風部とチャンバー部の構成図
【図４】本発明の実施の形態３の換気ユニットの送風部の構成図
【図５】同換気ユニットの送風部とチャンバー部の構成図
【図６】本発明の実施の形態４の換気ユニットの送風部の構成図
【図７】同換気ユニットの送風部とチャンバー部の構成図
【図８】本発明の実施の形態５の第一部材の斜視図
【図９】同換気ユニットの送風部とチャンバー部の構成図
【図１０】本発明の実施の形態６の第二部材の斜視図
【図１１】同換気ユニットの送風部とチャンバー部の構成図
【図１２】本発明の実施の形態７のチャンバー部の斜視図
【図１３】同換気ユニットの送風部とチャンバー部の構成図
【図１４】本発明の実施の形態８の換気ユニットの送風部とチャンバー部の構成図
【符号の説明】
【００７７】
１    送風部
２    給気用ファンケーシング
３    排気用ファンケーシング
４    熱交換器部
５    チャンバー部
７    換気ユニット
８    開口部
９    吹出口
１７  つめ
２５  ダンパー
２７  モーター
３０  第一部材
３２  第二部材
３７  支持棒
【図１】
2007003086.tif 000003
【図２】
2007003086.tif 000004
【図３】
2007003086.tif 000005
【図４】
2007003086.tif 000006
【図５】
2007003086.tif 000007
【図６】
2007003086.tif 000008
【図７】
2007003086.tif 000009
【図８】
2007003086.tif 000010
【図９】
2007003086.tif 000011
【図１０】
2007003086.tif 000012
【図１１】
2007003086.tif 000013
【図１２】
2007003086.tif 000014
【図１３】
2007003086.tif 000015
【図１４】
2007003086.tif 000016